【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
物体側から順に、負の屈折力を有し負レンズ成分と正レンズ成分の２枚のレンズ成分からなるレンズ群Ａと、正の屈折力を有し複数のレンズ要素が接合された１つのレンズ成分よりなるレンズ群Ｂを含み、各レンズ群の相対的間隔は変倍あるいは合焦時に変化するズームレンズにおいて、前記レンズ群Ａの負レンズ成分は、像側の面が光軸から離れるほど発散作用が強くなる非球面にて構成されていることを特徴とするズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。  
【請求項２】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａを構成するすべての光学的屈折面のうち非球面である面数が５０％以下であることを特徴とするズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。  
【請求項３】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａの正レンズ成分は屈折率１．８７以上の媒質からなる正レンズを含むズームレンズ。但し、レンズ成分とは、そのレンズ成分の最物体側のレンズ面と最像側のレンズ面のみが空気と接触し、且つその間には空気間隔がないものであり、単レンズ又は接合レンズを１単位とする。
【請求項４】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。
０．８＜ ΣＴ／ｆｗ ＜ ２．５ 
但し、ΣＴは全てのレンズ群の、最も物体側の面から最も像側の面までの、光軸上の距離を総和したもの、ｆｗは広角端における全系の焦点距離であり、レンズ成分とは、そのレンズ成分の最物体側のレンズ面と最像側のレンズ面のみが空気と接触し、且つその間には空気間隔がないものであり、単レンズ又は接合レンズを１単位とする。  
【請求項５】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。 
０．４＜ ｆＲ／｜ｆＡ｜ ＜ １．２ 
但し、ｆＡはそれぞれ前記レンズ群Ａの焦点距離、ｆＲはレンズ群Ａよりも像側に配置された全てのレンズ群の広角端における合成焦点距離である。
【請求項６】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。 
１．２０＜ ｜βＲＴ｜ ＜ ２．３０ 
但し、βＲＴは望遠端無限遠物点合焦時の、前記レンズ群Ａよりも像側に配置された全てのレンズ群による合成倍率である。
【請求項７】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。 
０．１７＜ （Ｄ１２Ｗ−Ｄ１２Ｔ）／（ｆｗ・γ２） ＜ ０．４５
但し、Ｄ１２Ｗ、Ｄ１２Ｔはそれぞれ広角端、望遠端におけるレンズ群Ａとその像側に隣接するレンズ群との光軸上での空気間隔、γは無限遠物点合焦時の望遠端における全系焦点距離の対広角端比、ｆｗは広角端における全系の焦点距離である。
【請求項８】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。 
０．０６＜ ｄ１１／ｆｗ ＜ ０．５３ 
但し、ｆｗは広角端における全系の焦点距離であり、ｄ１１はレンズ群Ａの負レンズ成分と正レンズ成分との光軸上における空気間隔である。
【請求項９】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａは、正レンズと、その物体側に負レンズを有し、前記正レンズと負レンズのそれぞれを構成する媒質の屈折率、アッベ数をｎ１ｐ、ν１ｐ、ｎ１ｎ、ν１ｎとしたとき、以下の条件を満足する請求項１乃至８の何れかに記載のズームレンズ。 
０．０８＜ ｎ１ｐ−ｎ１ｎ ＜ ０．３５ 
５ ＜ ν１ｎ−ν１ｐ ＜ ２５
【請求項１０】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。 
０．６６＜ （Ｒ２３＋Ｒ２１）／（Ｒ２３−Ｒ２１） ＜ １．５ 
但し、Ｒ２１、Ｒ２３はそれぞれレンズ群Ｂの最も物体側の面と最も像側の面の光軸上における曲率半径である。
【請求項１１】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、以下の条件を満足するズームレンズ。 
ν２ｐ＞ ６５ 
但し、ν２ｐはレンズ群Ｂに含まれる正レンズを構成する媒質のアッベ数（ｄ線基準）である。
【請求項１２】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ｂは、正レンズと負レンズの接合レンズからなり、以下の条件を満足するズームレンズ。 
−１．５＜ ｆｗ／Ｒ２２ ＜ −０．５０  
但し、ｆｗは広角端における全系の焦点距離であり、Ｒ２２はレンズ群Ｂの接合面の光軸上における曲率半径である。
【請求項１３】
前記レンズ群Ｂは、正レンズと負レンズの接合レンズからなる請求項１乃至１２の何れかに記載のズームレンズ。
【請求項１４】
前記レンズ群Ａとレンズ群Ｂのみからなる請求項１乃至１３の何れかに記載のズームレンズ。
【請求項１５】
以下の条件を満足する請求項１４に記載のズームレンズ。 
２．５５＜ （Ｄｗ＋Ｄｔ）／（２・ΣＤｔ） ＜ ４．０ 
但し、Ｄｗ、Ｄｔはそれぞれ広角端、望遠端におけるレンズ群Ａの最も物体側のレンズ面頂から像面までの距離、ΣＤｔは望遠端におけるレンズ群Ａの最も物体側のレンズ面頂からレンズ群Ｂの最も像側のレンズ面頂までの距離である。
【請求項１６】
以下の条件を満足する請求項１３乃至１５の何れかに記載のズームレンズ。 
０．８＜ ΣＤｔ／ｆｗ ＜ ３．３ 
但し、ｆｗは広角端における全系の焦点距離であり、ΣＤｔは望遠端におけるレンズ群Ａの最も物体側のレンズ面頂からレンズ群Ｂの最も像側のレンズ面頂までの距離である。
【請求項１７】
請求項１乃至１６の何れかに記載のズームレンズと、該ズームレンズの像側に配置された電子撮像素子とを備えた電子撮像装置。
【請求項１８】
物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズと、該ズームレンズの像側に配置された電子撮像素子と、前記ズームレンズを通して結像された像を前記電子撮像素子により撮像されて得られた画像データを加工して形状を変化させた画像データとして出力可能な画像処理部を備えた電子撮像装置。
但し、レンズ成分とは、そのレンズ成分の最物体側のレンズ面と最像側のレンズ面のみが空気と接触し、且つその間には空気間隔がないものであり、単レンズ又は接合レンズを１単位とする。
【請求項１９】
前記ズームレンズがｆｗの５０倍以上の何れかの物体距離に合焦した時に以下の条件を満足する請求項１８に記載の電子撮像装置。 
０．７５＜ ｙ＊０８ ／ （ｆｗ・ｔａｎ ω０８ｗ） ＜ ０．９６  
但し、ｙ＊１０は歪曲収差補正後の画像の中心から最も遠い点に対応する、前記電子撮像素子における中心から最も遠い点までの距離をｙ＊１０とするとｙ＊０８＝０. ８ｙ＊１０、ω０８ｗは広角端における前記撮像面上の中心からｙ＊０８離れた位置に結ぶ像点に対応する光線と物点方向の光軸とのなす角度、ｆｗは広角端における全系の焦点距離である。
【請求項２０】
前記ズームレンズがｆｗの５０倍以上の何れかの物体距離に合焦した時に以下の条件を満足する請求項１８又は１９に記載の電子撮像装置。 
０．５０＜ （ｄｙ＊ ／ｄｙ）ｙ＊０８／（ｄｙ＊／ｄｙ）ｙ＊００＜ ０．９０  
但し、（ｄｙ＊ ／ｄｙ）ｙ＊０８はｙ＊０８における微分量ｄｙ＊／ｄｙを、（ｄｙ＊ ／ｄｙ）ｙ＊００は近軸における微分量ｄｙ* ／ｄｙをそれぞれ表す。
【請求項２１】
以下の条件を満足する請求項１８乃至２０の何れかに記載の電子撮像装置。 
１.０ ＜ｙ＊１０ ／ ａ ＜ ３.０ 
但し、ｙ＊１０ は歪曲収差補正後の画像の中心から最も遠い点に対する、前記電子撮像素子における中心から最も遠い点までの距離で単位はｍｍ、ａは前記電子撮像素子長辺方向の画素間距離で単位はμｍである。
【請求項２２】
以下の条件を満足する請求項１７乃至２１の何れかに記載の電子撮像装置。 
Ｆｗ ≧ １．１ａ（μｍ）
但し、Ｆｗは広角端における解放Ｆ値、ａは前記電子撮像素子長辺方向の画素間距離で単位はμmである。
【手続補正２】
【補正対象書類名】明細書
【補正対象項目名】０００６
【補正方法】変更
【補正の内容】
【０００６】
上記目的を達成するために、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つのレンズ成分よりなるレンズ群Ｂを含み、各レンズ群の相対的間隔は変倍あるいは合焦時に変化するズームレンズにおいて、前記レンズ群Ａの負レンズ成分は、像側の面が光軸から離れるほど発散作用が強くなる非球面にて構成されていることを特徴とする。但し、レンズ成分とは、そのレンズ成分の最物体側のレンズ面と最像側のレンズ面のみが空気と接触し、且つその間には空気間隔がないものであり、単レンズ又は接合レンズを１単位とする。
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａを構成するすべての光学的屈折面のうち非球面である面数が５０％以下であることを特徴とする。但し、レンズ成分とは、そのレンズ成分の最物体側のレンズ面と最像側のレンズ面のみが空気と接触し、且つその間には空気間隔がないものであり、単レンズ又は接合レンズを１単位とする。
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズにおいて、前記レンズ群Ａの正レンズ成分は屈折率１．８７以上の媒質からなる正レンズを含む。但し、レンズ成分とは、そのレンズ成分の最物体側のレンズ面と最像側のレンズ面のみが空気と接触し、且つその間には空気間隔がないものであり、単レンズ又は接合レンズを１単位とする。
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズであって、以下の条件を満足する。
０．８＜ ΣＴ／ｆｗ ＜ ２．５ 
但し、ΣＴは全てのレンズ群の、最も物体側の面から最も像側の面までの、光軸上の距離を総和したもの、ｆｗは広角端における全系の焦点距離であり、レンズ成分とは、そのレンズ成分の最物体側のレンズ面と最像側のレンズ面のみが空気と接触し、且つその間には空気間隔がないものであり、単レンズ又は接合レンズを１単位とする。  
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズであって、以下の条件を満足する。
０．４＜ ｆＲ／｜ｆＡ｜ ＜ １．２ 
但し、ｆＡはそれぞれ前記レンズ群Ａの焦点距離、ｆＲはレンズ群Ａよりも像側に配置された全てのレンズ群の広角端における合成焦点距離である。 
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズであって、以下の条件を満足する。 
１．２０＜ ｜βＲＴ｜ ＜ ２．３０ 
但し、βＲＴは望遠端無限遠物点合焦時の、前記レンズ群Ａよりも像側に配置された全てのレンズ群による合成倍率である。
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズであって、以下の条件を満足する。 
０．１７＜ （Ｄ１２Ｗ−Ｄ１２Ｔ）／（ｆｗ・γ２） ＜ ０．４５ 
但し、Ｄ１２Ｗ、Ｄ１２Ｔはそれぞれ広角端、望遠端におけるレンズ群Ａとその像側に隣接するレンズ群との光軸上での空気間隔、γは無限遠物点合焦時の望遠端における全系焦点距離の対広角端比、ｆｗは広角端における全系の焦点距離である。 
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズであって、以下の条件を満足する。 
０．０６＜ ｄ１１／ｆｗ ＜ ０．５３ 
但し、ｆｗは広角端における全系の焦点距離であり、ｄ１１はレンズ群Ａの負レンズ成分と正レンズ成分との光軸上における空気間隔である。
【手続補正３】
【補正対象書類名】明細書
【補正対象項目名】０００７
【補正方法】変更
【補正の内容】
【０００７】
また、本発明によるズームレンズは、請求項１乃至８の何れかに記載のズームレンズであって、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズであって、前記レンズ群Ａは、正レンズと、その物体側に負レンズを有し、前記正レンズと負レンズのそれぞれを構成する媒質の屈折率、アッベ数をｎ１ｐ、ν１ｐ、ｎ１ｎ、ν１ｎとしたとき、以下の条件を満足する。 
０．０８＜ ｎ１ｐ−ｎ１ｎ ＜ ０．３５ 
５ ＜ ν１ｎ−ν１ｐ ＜ ２５ 
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズであって、以下の条件を満足する。 
０．６６＜ （Ｒ２３＋Ｒ２１）／（Ｒ２３−Ｒ２１） ＜ １．５ 
但し、Ｒ２１、Ｒ２３はそれぞれレンズ群Ｂの最も物体側の面と最も像側の面の光軸上における曲率半径である。 
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズであって、以下の条件を満足する。
ν２ｐ＞ ６５ 
但し、ν２ｐはレンズ群Ｂに含まれる正レンズを構成する媒質のアッベ数（ｄ線基準）である。 
また、本発明によるズームレンズは、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズであって、前記レンズ群Ｂは、正レンズと負レンズの接合レンズからなり、以下の条件を満足する。
−１．５＜ ｆｗ／Ｒ２２ ＜ −０．５０ 
但し、ｆｗは広角端における全系の焦点距離であり、Ｒ２２はレンズ群Ｂの接合面の光軸上における曲率半径である。 
また、本発明によるズームレンズは、請求項１乃至１２の何れかに記載のズームレンズであって、前記レンズ群Ｂは、正レンズと負レンズの接合レンズからなる。 
また、本発明によるズームレンズは、請求項１乃至１３の何れかに記載のズームレンズであって、前記レンズ群Ａとレンズ群Ｂのみからなる。
また、本発明によるズームレンズは、請求項１４に記載のズームレンズであって、以下の条件を満足することを特徴とする。 
２．５５＜ （Ｄｗ＋Ｄｔ）／（２・ΣＤｔ） ＜ ４．０ 
但し、Ｄｗ、Ｄｔはそれぞれ広角端、望遠端におけるレンズ群Ａの最も物体側のレンズ面頂から像面までの距離、ΣＤｔは望遠端におけるレンズ群Ａの最も物体側のレンズ面頂からレンズ群Ｂの最も像側のレンズ面頂までの距離である。 
また、本発明によるズームレンズは、請求項１３乃至１５の何れかに記載のズームレンズであって、以下の条件を満足する。 
０．８＜ ΣＤｔ／ｆｗ ＜ ３．３ 
但し、ｆｗは広角端における全系の焦点距離であり、ΣＤｔは望遠端におけるレンズ群Ａの最も物体側のレンズ面頂からレンズ群Ｂの最も像側のレンズ面頂までの距離である。
【手続補正４】
【補正対象書類名】明細書
【補正対象項目名】０００８
【補正方法】変更
【補正の内容】
【０００８】
また、本発明による電子撮像装置は、請求項１乃至１６の何れかに記載のズームレンズと、該ズームレンズの像側に配置された電子撮像素子とを備えていること。 
また、本発明による電子撮像装置は、物体側から順に、負の屈折力を有し負レンズ成分と正レンズ成分の２枚のレンズ成分からなるレンズ群Ａと、正の屈折力を有し複数のレンズ要素が接合された１つの正レンズ成分よりなるレンズ群Ｂを含み、各レンズ群の相対的間隔は変倍あるいは合焦時に変化するズームレンズと、該ズームレンズの像側に配置された電子撮像素子と、前記ズームレンズを通して結像された像を前記電子撮像素子により撮像されて得られた画像データを加工して形状を変化させた画像データとして出力可能な画像処理部を備えている。
但し、レンズ成分とは、そのレンズ成分の最物体側のレンズ面と最像側のレンズ面のみが空気と接触し、且つその間には空気間隔がないものであり、単レンズ又は接合レンズを１単位とする。
また、本発明による電子撮像装置は、前記ズームレンズがｆｗの５０倍以上の何れかの物体距離に合焦した時に以下の条件を満足する。 
０．７５＜ ｙ＊０８ ／ （ｆｗ・ｔａｎ ω０８ｗ） ＜ ０．９６ 
但し、ｙ＊１０は歪曲収差補正後の画像の中心から最も遠い点に対応する、前記電子撮像素子における中心から最も遠い点までの距離をｙ＊１０とするとｙ＊０８＝０． ８ｙ＊１０、ω０８ｗは広角端における前記撮像面上の中心からｙ＊０８離れた位置に結ぶ像点に対応する光線と物点方向の光軸とのなす角度、ｆｗは広角端における全系の焦点距離である。 
また、本発明による電子撮像装置は、前記ズームレンズがｆｗの５０倍以上の何れかの物体距離に合焦した時に以下の条件を満足する。
０．５０＜ （ｄｙ＊ ／ｄｙ）ｙ＊０８／（ｄｙ＊／ｄｙ）ｙ＊００＜ ０．９０ 
但し、（ｄｙ＊ ／ｄｙ）ｙ＊０８はｙ＊０８における微分量ｄｙ＊／ｄｙを、（ｄｙ＊ ／ｄｙ）ｙ＊００は近軸における微分量ｄｙ＊／ｄｙをそれぞれ表す。 
また、本発明による電子撮像装置は、請求項１８乃至２０の何れかに記載の電子撮像装置であって、以下の条件を満足する。 
１．０＜  ｙ＊１０ ／ ａ  ＜ ３．０ 
但し、ｙ＊１０ は歪曲収差補正後の画像の中心から最も遠い点に対する、前記電子撮像素子における中心から最も遠い点までの距離で単位はｍｍ、ａは前記電子撮像素子長辺方向の画素間距離で単位はμｍである。 
また、本発明による電子撮像装置は、請求項１７乃至２１の何れかに記載の電子撮像装置であって、以下の条件を満足する。 
Ｆｗ ≧ １．１ａ（μｍ）
但し、Ｆｗは広角端における解放Ｆ値、ａは前記電子撮像素子長辺方向の画素間距離で単位はμmである。
【手続補正５】
【補正対象書類名】明細書
【補正対象項目名】００６６
【補正方法】変更
【補正の内容】
【００６６】
第１実施例のズームレンズは、物体側より順に、負の屈折力を有する第１レンズ群Ｇ１と、明るさ絞りＳと、正の屈折力を有する第２レンズ群Ｇ２とで構成されている。ＦＬは光学ローパスフィルターや赤外光吸収フィルター等の平行平面板、ＣＧはカバーガラス、ＩはＣＣＤやＣＭＯＳの如き撮像素子の撮像面である。 第１レンズ群Ｇ１は、物体側より順に、像側に凹面を向けた負のメニスカスレンズＬ１１と、空気間隔を置いて物体側に凸面を向けた正のメニスカスレンズＬ１２とで構成されている。負のメニスカスレンズＬ１１は、像側に非球面を有する。
第２レンズ群Ｇ２は、物体側より順に、物体側面に非球面を有する正の第１レンズＬ２１と像側面に非球面を有する負の第２レンズＬ２２との接合レンズで構成されている。正の第１レンズＬ２１両凸正レンズであり、負の第２レンズＬ２２は光軸近傍において像側に凸面を向けたメニスカスレンズである。
【手続補正６】
【補正対象書類名】明細書
【補正対象項目名】００７２
【補正方法】変更
【補正の内容】
【００７２】
第２実施例のズームレンズは、物体側より順に、負の屈折力を有する第１レンズ群Ｇ１と、明るさ絞りＳと、正の屈折力を有する第２レンズ群Ｇ２とで構成されている。ＦＬは光学ローパスフィルターや赤外光吸収フィルター等の平行平面板、ＣＧはカバーガラス、ＩはＣＣＤやＣＭＯＳの如き撮像素子の撮像面である。 第１レンズ群Ｇ１は、物体側より順に、像側に凹面を向けた負のメニスカスレンズＬ１１と、空気間隔を置いて物体側に凸面を向けた正のメニスカスレンズＬ１２とで構成されている。負のメニスカスレンズＬ１１は、像側に非球面を有する。
第２レンズ群Ｇ２は、物体側より順に、物体側面に非球面を有する正の第１レンズＬ２１と像側面に非球面を有する負の第２レンズＬ２２との接合レンズで構成されている。正の第１レンズＬ２１は両凸正レンズであり、負の第２レンズＬ２２は光軸近傍において像側に凸面を向けたメニスカスレンズである。
【手続補正７】
【補正対象書類名】明細書
【補正対象項目名】００７８
【補正方法】変更
【補正の内容】
【００７８】
第３実施例のズームレンズは、物体側より順に、負の屈折力を有する第１レンズ群Ｇ１と、明るさ絞りＳと、正の屈折力を有する第２レンズ群Ｇ２とで構成されている。ＦＬは光学ローパスフィルターや赤外光吸収フィルター等の平行平面板、ＣＧはカバーガラス、ＩはＣＣＤやＣＭＯＳの如き撮像素子の撮像面である。 第１レンズ群Ｇ１は、物体側より順に、像側に凹面を向けた負のメニスカスレンズＬ１１と、空気間隔を置いて物体側に凸面を向けた正のメニスカスレンズＬ１２とで構成されている。負のメニスカスレンズＬ１１は、像側に非球面を有する。
第２レンズ群Ｇ２は、物体側より順に、物体側面に非球面を有する正の第１レンズＬ２１と像側面に非球面を有する負の第２レンズＬ２２との接合レンズで構成されている。正の第１レンズＬ２１は両凸正レンズであり、負の第２レンズＬ２２は光軸近傍において像側に凸面を向けたメニスカスレンズである。
【手続補正８】
【補正対象書類名】明細書
【補正対象項目名】００８４
【補正方法】変更
【補正の内容】
【００８４】
第４実施例のズームレンズは、物体側より順に、負の屈折力を有する第１レンズ群Ｇ１と、明るさ絞りＳと、正の屈折力を有する第２レンズ群Ｇ２とで構成されている。ＦＬは光学ローパスフィルターや赤外光吸収フィルター等の平行平面板、ＣＧはカバーガラス、ＩはＣＣＤやＣＭＯＳの如き撮像素子の撮像面である。 第１レンズ群Ｇ１は、物体側より順に、像側に凹面を向けた負のメニスカスレンズＬ１１と、空気間隔を置いて物体側に凸面を向けた正のメニスカスレンズＬ１２とで構成されている。負のメニスカスレンズＬ１１は、像側に非球面を有する。
第２レンズ群Ｇ２は、物体側より順に、物体側面に非球面を有する正の第１レンズＬ２１と像側面に非球面を有する負の第２レンズＬ２２との接合レンズで構成されている。正の第１レンズＬ２１は両凸正レンズであり、負の第２レンズＬ２２は光軸近傍において像側に凸面を向けたメニスカスレンズである。
【手続補正９】
【補正対象書類名】明細書
【補正対象項目名】００９０
【補正方法】変更
【補正の内容】
【００９０】
第５実施例のズームレンズは、物体側より順に、負の屈折力を有する第１レンズ群Ｇ１と、明るさ絞りＳと、正の屈折力を有する第２レンズ群Ｇ２とで構成されている。ＦＬは光学ローパスフィルターや赤外光吸収フィルター等の平行平面板、ＣＧはカバーガラス、ＩはＣＣＤやＣＭＯＳの如き撮像素子の撮像面である。 第１レンズ群Ｇ１は、物体側より順に、像側に凹面を向けた負のメニスカスレンズＬ１１と、空気間隔を置いて物体側に凸面を向けた正のメニスカスレンズＬ１２とで構成されている。負のメニスカスレンズＬ１１は、像側に非球面を有する。
第２レンズ群Ｇ２は、物体側より順に、物体側面に非球面を有する正の第１レンズＬ２１と像側面に非球面を有する負の第２レンズＬ２２との接合レンズで構成されている。正の第１レンズＬ２１は両凸正レンズであり、負の第２レンズＬ２２は光軸近傍において像側に凸面を向けたメニスカスレンズである。
【手続補正１０】
【補正対象書類名】明細書
【補正対象項目名】００９６
【補正方法】変更
【補正の内容】
【００９６】
第６実施例のズームレンズは、物体側より順に、負の屈折力を有する第１レンズ群Ｇ１と、明るさ絞りＳと、正の屈折力を有する第２レンズ群Ｇ２とで構成されている。ＦＬは光学ローパスフィルターや赤外光吸収フィルター等の平行平面板、ＣＧはカバーガラス、ＩはＣＣＤやＣＭＯＳの如き撮像素子の撮像面である。 第１レンズ群Ｇ１は、物体側より順に、像側に凹面を向けた負のメニスカスレンズＬ１１と、空気間隔を置いて物体側に凸面を向けた正のメニスカスレンズＬ１２とで構成されている。負のメニスカスレンズＬ１１は、像側に非球面を有する。
第２レンズ群Ｇ２は、物体側より順に、物体側面に非球面を有する正の第１レンズＬ２１と像側面に非球面を有する負の第２レンズＬ２２との接合レンズで構成されている。正の第１レンズＬ２１は両凸正レンズであり、負の第２レンズＬ２２は光軸近傍において像側に凸面を向けたメニスカスレンズである。